(57)【要約】【課題】周波数や帯域幅の変更に際してアイリス加工が施されたケースとカバーとを共通化して使用できると共に、任意な一つのパラメータを半無調整化し得る便利な構造の導波管フィルタを提供すること。【解決手段】この導波管フィルタの場合、ケース１は、断面略コ字状で一軸方向に延びると共に、平坦な底面に一軸方向に沿って所定の間隔で複数のアイリス部１ａが設けられており、カバー２は、ケース１における開口に対してそれぞれ装着可能な３つの装着面Ｍ１〜Ｍ３を有すると共に、各装着面Ｍ１〜Ｍ３が帯域幅を一定として周波数の変更に対応して組み付け可能（装着面Ｍ１での導波間隔寸法ａ１の最低周波数モード、装着面Ｍ２での導波間隔寸法ａ２の中間周波数モード、装着面Ｍ３での導波間隔寸法ａ３の最高周波数モードに設定される）となるように異なる形状を持つ。【選択図】      図３
2004289517.tif 000002
【特許請求の範囲】
【請求項１】
アイリス加工により所定の帯域濾波特性が得られるように複数のアイリス部が設けられたケースに対して該複数のアイリス部を覆うようにカバーを組み付けて導波路を形成した構造を持つ導波管フィルタにおいて、前記ケースは、前記カバーを装着するための開口を有すると共に、少なくとも周波数又は帯域幅を含む任意な一つのパタメータの変更に際して共通化して使用されるものであり、前記カバーは、前記ケースにおける前記開口に対して少なくとも周波数又は帯域幅を含む任意な一つのパタメータの変更に対応可能な同一部品として装着されることを特徴とする導波管フィルタ。
【請求項２】
請求項１記載の導波管フィルタにおいて、前記ケースは、断面略コ字状で一軸方向に延びると共に、平坦な内側底面に該一軸方向に沿って所定の間隔で前記複数のアイリス部が設けられており、前記カバーは、前記開口に対して前記複数のアイリス部との距離を可変できるように前記ケースにあっての前記底面と垂直方向でスライド可能に装着されることを特徴とする導波管フィルタ。
【請求項３】
請求項１記載の導波管フィルタにおいて、前記ケースは、断面略コ字状で一軸方向に延びると共に、該一軸方向に沿って順次厚さの異なる段差を持つ内側底面に前記複数のアイリス部が該段差間に所定の間隔を有して該段差を区画形成するように設けられており、前記カバーは、前記複数のアイリス部に対向する側の主面が前記ケースにあっての前記底面の段差の平均勾配値とほぼ合致する角度で前記一軸方向に沿って傾斜していると共に、前記開口に対して該複数のアイリス部との距離を可変できるように該一軸方向でスライド可能に装着されることを特徴とする導波管フィルタ。
【請求項４】
請求項１記載の導波管フィルタにおいて、前記ケースは、断面略コ字状で一軸方向に延びると共に、平坦な内側底面に該一軸方向に沿って所定の間隔で前記複数のアイリス部が設けられており、前記カバーは、前記ケースにおける前記開口に対してそれぞれ装着可能な複数の装着面を有すると共に、該複数の装着面が少なくとも周波数又は帯域幅を含む任意な一つのパラメータの変更に対応して組み付け可能となるように異なる形状を持つことを特徴とする導波管フィルタ。
【請求項５】
請求項４記載の導波管フィルタにおいて、前記カバーは、前記複数の装着面の異なる形状として予め異なる深さに加工された凹状の溝と凸状の段差とを有することを特徴とする導波管フィルタ。
【請求項６】
請求項５記載の導波管フィルタにおいて、前記ケースにあっての前記複数のアイリス部が設けられた前記平坦な内側底面から前記カバーにあっての前記複数の装着面の一つである前記凹状の溝の第１の装着面までの導波間隔寸法が最大値となる組み付け状態により最低周波数モードに設定されることを特徴とする導波管フィルタ。
【請求項７】
請求項６記載の導波管フィルタにおいて、前記ケースにあっての前記平坦な内側底面から前記カバーにあっての前記複数の装着面の他の一つである前記凹状の溝の第２の装着面までの導波間隔寸法が前記最大値よりも小さい中間値となる組み付け状態により中間周波数モードに設定されることを特徴とする導波管フィルタ。
【請求項８】
請求項７記載の導波管フィルタにおいて、前記ケースにあっての前記平坦な内側底面から前記カバーにあっての前記複数の装着面の別の一つである前記凸状の段差の第３の装着面までの導波間隔寸法が前記中間値よりも小さい最小値となる組み付け状態により最高周波数モードに設定されることを特徴とする導波管フィルタ。
【請求項９】
請求項８記載の導波管フィルタにおいて、前記中間周波数モードは、前記最低周波数モードよりも１ＧＨｚ高く設定され、前記最高周波数モードは、前記中間周波数モードよりも１ＧＨｚ高く設定されたことを特徴とする導波管フィルタ。
【発明の詳細な説明】
【０００１】
【発明の属する技術分野】
本発明は、主として電気・電子・通信機器類やその部品に適用される導波管フィルタであって、詳しくはアイリス加工が施されたケースにカバーを組み付けた構造で周波数及び帯域幅の変更時にこれらの部材を共通化して使用できると共に、任意な一つのパラメータを半無調整化し得る構造の導波管フィルタに関する。
【０００２】
【従来の技術】
従来、この種の導波管フィルタとして、アイリス加工が施された部材に他の部材を組み付けて導波路を形成したタイプのもの（特許文献１，特許文献２参照）が知られている。ここでアイリス加工が施された部材をケースとし、且つ他の部材をカバーとみなした場合の導波管フィルタを設計する場合、ケース寸法の設計値は所望の周波数と帯域幅とによって導出される。即ち、周波数（管内波長）によって導波管の長さが導出され、帯域幅（段間結合度）によってアイリス部の寸法が導出される。
【０００３】
ところで、このような構造の導波管フィルタにおいては、一般にケースを共通化して使用しようとすると調整範囲が狭いために無理な調整による損失劣化や不要共振等の問題を発生し易くなり、このために周波数や帯域幅が異なる別種仕様の構造とする場合には異なる寸法のケ−スを幾つか設計して準備し、その仕様に合ったタイプのケ−スを使用するようにしている。
【０００４】
【特許文献１】
特開昭６０−３８９０１号公報（図１，図２，第３頁）
【０００５】
【特許文献２】
実開平６−６６１０７号公報（要約）
【０００６】
【発明が解決しようとする課題】
上述したアイリス加工が施されたケースにカバーを組み付けて導波路を形成した構造の導波管フィルタの場合、調整範囲が狭くてケースを共通化して使用することが困難であることにより、周波数や帯域幅が異なる仕様のものを作製するときには異なる寸法のケ−スを幾種も用意しておく必要があるが、こうした状況では周波数や帯域幅の種類が増加するに伴い、多種類のケースを設計した上で作製して準備しておかなければならず、そのための開発設計，製造，及び部品管理が煩雑となっており、こうした点がコスト高を招き、且つ量産時における生産管理を困難なものにしているため、結果として周波数や帯域幅を容易に変更し難いものとなっているという問題がある。
【０００７】
即ち、従来の導波管フィルタの場合、多種類のケースを準備しておくためには、その開発設計段階が長期化されることもあるばかりでなく、製造工程で周波数及び帯域幅が決定しなければケースの製造（作製）を開始できないことになる上、作製後にも多種のケースを混在させないように慎重且つ厳重に部品を種別に管理する必要があるといった諸事情により、開発設計コストや部品管理コストがかかることでコスト高を招いてしまい、短期納品への対応に不向きであり、それ故、周波数や帯域幅を容易に変更し難いものとなっている。
【０００８】
従って、この種の導波管フィルタでは、少なくとも周波数や帯域幅の変更に際してアイリス加工が施されたケースとカバーとを共通化して使用することができれば、こうした諸問題が解決されて多くのメリットを奏することができるものの、現状では改善対策がなされていない。
【０００９】
本発明は、このような問題点を解決すべくなされたもので、その技術的課題は、周波数や帯域幅の変更に際してアイリス加工が施されたケースとカバーとを共通化して使用できると共に、任意な一つのパラメータを半無調整化し得る便利な構造の導波管フィルタを提供することにある。
【００１０】
【課題を解決するための手段】
本発明によれば、アイリス加工により所定の帯域濾波特性が得られるように複数のアイリス部が設けられたケースに対して該複数のアイリス部を覆うようにカバーを組み付けて導波路を形成した構造を持つ導波管フィルタにおいて、ケースは、カバーを装着するための開口を有すると共に、少なくとも周波数又は帯域幅を含む任意な一つのパタメータの変更に際して共通化して使用されるものであり、カバーは、ケースにおける開口に対して少なくとも周波数又は帯域幅を含む任意な一つのパタメータの変更に対応可能な同一部品として装着される導波管フィルタが得られる。
【００１１】
又、本発明によれば、上記導波管フィルタにおいて、ケースは、断面略コ字状で一軸方向に延びると共に、平坦な底面に該一軸方向に沿って所定の間隔で複数のアイリス部が設けられており、カバーは、開口に対して複数のアイリス部との距離を可変できるようにケースにあっての底面と垂直方向でスライド可能に装着される導波管フィルタが得られる。
【００１２】
更に、本発明によれば、上記導波管フィルタにおいて、ケースは、断面略コ字状で一軸方向に延びると共に、該一軸方向に沿って順次厚さの異なる段差を持つ底面に複数のアイリス部が該段差間に所定の間隔を有して該段差を区画形成するように設けられており、カバーは、複数のアイリス部に対向する側の主面がケースにあっての底面の段差の平均勾配値とほぼ合致する角度で一軸方向に沿って傾斜していると共に、開口に対して該複数のアイリス部との距離を可変できるように該一軸方向でスライド可能に装着される導波管フィルタが得られる。
【００１３】
加えて、本発明によれば、上記導波管フィルタにおいて、ケースは、断面略コ字状で一軸方向に延びると共に、平坦な底面に該一軸方向に沿って所定の間隔で複数のアイリス部が設けられており、カバーは、ケースにおける開口に対してそれぞれ装着可能な複数の装着面を有すると共に、該複数の装着面が少なくとも周波数又は帯域幅を含む任意な一つのパラメータの変更に対応して組み付け可能となるように異なる形状を持つ導波管フィルタが得られる。
【００１４】
この導波管フィルタにおいて、カバーは、複数の装着面の異なる形状として予め異なる深さに加工された凹状の溝と凸状の段差とを有すること、ケースにあっての複数のアイリス部が設けられた平坦な内側底面からカバーにあっての複数の装着面の一つである凹状の溝の第１の装着面までの導波間隔寸法が最大値となる組み付け状態により最低周波数モードに設定されること、ケースにあっての平坦な内側底面からカバーにあっての複数の装着面の他の一つである凹状の溝の第２の装着面までの導波間隔寸法が最大値よりも小さい中間値となる組み付け状態により中間周波数モードに設定されること、ケースにあっての平坦な内側底面からカバーにあっての複数の装着面の別の一つである凸状の段差の第３の装着面までの導波間隔寸法が中間値よりも小さい最小値となる組み付け状態により最高周波数モードに設定されることはそれぞれ好ましい。又、上記導波管フィルタにおいて、中間周波数モードは最低周波数モードよりも１ＧＨｚ高く設定され、且つ最高周波数モードは中間周波数モードよりも１ＧＨｚ高く設定されたことは好ましい。
【００１５】
【発明の実施の形態】
以下に本発明の実施の形態について、図面を参照して詳細に説明する。最初に、本発明の導波管フィルタの開発に至るまでの技術的背景及び概要について簡単に説明する。
【００１６】
図１は、本発明に先立つ導波管フィルタの要部構造を示した長手（側面）方向における側面断面図である。ここでは、アイリス加工により所定の帯域濾波特性が得られるように複数のアイリス部１ａが設けられたケース１に対して各アイリス部１ａを覆うようにカバー２を組み付けて導波路を形成した構造を持つ導波管フィルタの設計に際して、例えば帯域幅（段間結合度Ｋｊ，ｊ＋１）を一定として周波数ｆだけが異なるタイプのフィルタを所望すると共に、低い周波数で設計されたフィルタをそのまま高い周波数で使用する場合を想定すれば、周波数ｆが高ければ管内波長λが短くなるために低い周波数で設計されたケース１ではアイリス部１ａの間隔Ｌが長過ぎてしまい、周波数調整が非常に困難となると共に、比帯域が小さくなるために段間結合度Ｋｊ，ｊ＋１が大きくなり過ぎてしまい、段間結合度Ｋｊ，ｊ＋１を小さくしなければならなくなる。
【００１７】
即ち、一般に同じケース１を用いて高い周波数で使用すれば低い周波数で使用した場合と比べて帯域幅（段間結合度Ｋｊ，ｊ＋１）が広がってしまうことになり、こうした場合に無理に調整を行うと特性を劣化させてしまうことも多く、周波数に応じてケース１を種別に設計する必要があったが、ここで低い周波数で設計されたケース１を高い周波数でも利用できるようにしたい場合には、管内波長λが短くならないようにすると共に、段間結合度Ｋｊ，ｊ＋１が大きくならないようにすれば良い。
【００１８】
そこで、図１に示されるような導波管フィルタにおけるケース１にあっての各アイリス部１ａが設けられた平坦な内側底面からカバー２にあっての装着面までの導波間隔寸法ａ（構造上、当然のことながら各アイリス部１ａにおける平坦な内側底面からの背高寸法ｔよりも大きい）について留意すると、導波間隔寸法ａのみを小さくした場合には管内波長λが長くなると共に、段間結合度Ｋｊ，ｊ＋１が小さくなるため、周波数と帯域幅との２つのパラメータが何れも所望の変化を示すことになり、結果として導波間隔寸法ａのみを変更すれば同じ帯域幅（段間結合度Ｋｊ，ｊ＋１）を維持したまま周波数ｆを変更することが可能となる。
【００１９】
本発明の導波管フィルタは、このような導波間隔寸法ａの変更を着眼点としてアイリス加工が施されたケース１とカバー２とを共通化して使用できると共に、任意のパラメータを半無調整化し得る構造を研究開発したものであり、ケース１については、カバー２を装着するための開口を有すると共に、少なくとも周波数又は帯域幅を含む任意な一つのパタメータの変更に際して共通化して使用されるものであり、カバー２については、ケース１における開口に対して少なくとも周波数又は帯域幅を含む任意な一つのパタメータの変更に対応可能な同一部品として装着されるものとなっている。
【００２０】
このような導波管フィルタにおけるケース及びカバーの具体的構造としては、ケースを断面略コ字状で一軸方向に延びると共に、平坦な底面に一軸方向に沿って所定の間隔で複数のアイリス部が設けられており、カバーを開口に対して各アイリス部との距離を可変できるようにケースにあっての底面と垂直方向でスライド可能に装着される構造とするか、ケースを断面略コ字状で一軸方向に延びると共に、一軸方向に沿って順次厚さの異なる段差を持つ底面に複数のアイリス部が段差間に所定の間隔を有して段差を区画形成するように設けられ、カバーを各アイリス部に対向する側の主面がケースにあっての底面の段差の平均勾配値とほぼ合致する角度で一軸方向に沿って傾斜していると共に、開口に対して各アイリス部との距離を可変できるように一軸方向でスライド可能に装着される構造とするか、或いはケースを断面略コ字状で一軸方向に延びると共に、平坦な底面に一軸方向に沿って所定の間隔で複数のアイリス部が設けられ、カバーをケースにおける開口に対してそれぞれ装着可能な複数の装着面を有すると共に、複数の装着面が少なくとも周波数又は帯域幅を含む任意な一つのパラメータの変更に対応して組み付け可能となるように異なる形状を持つ構造とする場合を例示できる。
【００２１】
こうした構造を適用すれば、何れの場合についも例えば上述した導波間隔寸法ａのみを変更した上、同じ帯域幅（段間結合度Ｋｊ，ｊ＋１）を維持したまま周波数ｆを変更可能なフィルタとなる。
【００２２】
図２は、本発明の一つの実施の形態に係る導波管フィルタの基本構造をケース１及びカバー２を分解した状態で示した外観斜視図である。
【００２３】
この導波管フィルタの場合、アイリス加工により所定の帯域濾波特性が得られるように複数のアイリス部１ａが設けられたケース１に対して各アイリス部１ａを覆うようにカバー２を組み付けて導波路を形成した構造を持つ点は従来通りであって、具体的にはケース１について断面略コ字状で一軸方向に延びると共に、平坦な底面に一軸方向に沿って所定の間隔で複数のアイリス部１ａが設けられた点は従来通りとなっているが、ここではケース１を帯域幅を一定とする周波数の変更に際して共通化して使用されるものとした上、カバー２については、ケース１における開口に対してそれぞれ装着可能な３つの装着面を有すると共に、各装着面が少なくとも帯域幅を一定とする周波数の変更に対応して組み付け可能となるように異なる形状を持つ構造としている。
【００２４】
図３は、この導波管フィルタに備えられるカバー２のケース１に対する組み付け変更パターンに応じた周波数設定モードを示した端面方向での断面図であり、同図（ａ）は最低周波数モードに関するもの，同図（ｂ）は中間周波数モードに関するもの，同図（ｃ）は最高周波数モードに関するものである。
【００２５】
ここでのカバー２は、図２に示されるように一軸方向に延びた４つの側面にあっての３つのものを対象としてケース１の開口に対する装着面を形成しており、具体的には図２（ａ）〜（ｃ）に示されるように３つの装着面Ｍ１〜Ｍ３を異なる形状として予め異なる深さに加工された凹状の溝と凸状の段差とを有するように形成している。これにより、導波管フィルタでは、ケース１を共通化して使用しながらカバー２の装着面Ｍ１〜Ｍ３を変更することによって図１で説明した導波間隔寸法ａを変更可能な構造となっている。
【００２６】
即ち、図２（ａ）では、ケース１にあっての各アイリス部１ａが設けられた平坦な内側底面からカバー２にあっての各装着面の一つである凹状の溝の第１の装着面Ｍ１までの導波間隔寸法ａ１が最大値となる組み付け状態により最低周波数モードの２１．４ＧＨｚに設定されることを示している。
【００２７】
同様に、図２（ｂ）では、ケース１にあっての平坦な内側底面からカバー２にあっての各装着面の他の一つである凹状の溝の第２の装着面Ｍ２までの導波間隔寸法ａ２が最大値よりも小さい中間値となる組み付け状態により中間周波数モードの２２．４ＧＨｚに設定されることを示している。
【００２８】
同様に、図２（ｃ）では、ケース１にあっての平坦な内側底面からカバー２にあっての各装着面の別の一つである凸状の段差の第３の装着面Ｍ３までの導波間隔寸法ａ３が中間値よりも小さい最小値となる組み付け状態により最高周波数モードの２３．４ＧＨｚに設定されることを示している。
【００２９】
要するに、この導波管フィルタでは、中間周波数モードが最低周波数モードよりも１ＧＨｚ高く設定され、最高周波数モードが中間周波数モードよりも１ＧＨｚ高く設定される構造となっている。
【００３０】
因みに、この導波管フィルタの場合、カバー２の共通化使用を考慮し、カバー２の３つの側面に深さの異なる凹形状の溝と凸形状の段差とを加工形成して異なる形状の装着面Ｍ１〜Ｍ３を持たせており、装着面Ｍ３に対向する平面（凹凸の無い平坦な面）も取り付け面として利用できるため、結果として１つのカバー２で４種類の周波数の変更に対応可能な構造となるが、要求される周波数の種類が少ない場合にはカバー２の対向する一組の側面（例えば上下面）だけを加工した構造（３種類の周波数の変更に対応可能な構造）としても良い。
【００３１】
ところで、このような導波管フィルタを設計して作製する場合、設計の簡素化と厳密な周波数調整とを行うために周波数のみを調整可能な構造とすることを前提にしてケース１の設計を行う。
【００３２】
先ず、基準となる周波数での設計値を導出するが、ここでは図１に示した構造を参照して説明すれば、導波間隔寸法ａが最大となる低周波数（２１．４ＧＨｚ）を基準とし、これよりも高い周波数では導波間隔寸法ａが小さくなる方向に進むため、ケース１が低周波数時以上に大きくなることはなく、実装空間が限定される場合を考慮する。
【００３３】
次に、ここで導出されるアイリス部１ａにおける平坦な内側底面からの背高寸法ｔを基準値としてより高い周波数での設計を行うが、ここでは導波間隔寸法ａをパラメータとして先に導出された各アイリス部１ａの背高寸法ｔの基準値と各アイリス部１ａの背高寸法ｔとがなるべく一致するような導波間隔寸法ａを導出するようにする。
【００３４】
このような結果、各周波数でのケース１の設計値は、各アイリス部１ａの背高寸法ｔが同一で各アイリス部１ａの間隔Ｌと導波間隔寸法ａとが異なる値を持つ構造となる。共通化使用するケース１の各アイリス部１ａの背高寸法ｔは、ここで定めた基準値となるが、各アイリス部１ａの間隔Ｌは最も高い周波数時の設計値とした。そうした方がケース１の全長を短くすることができる上、高い周波数から低い周波数への調整を行うのが柔軟性があるために都合が良い。
【００３５】
以上により、各周波数での導波間隔寸法ａが導出されたので、次は各周波数でカバー２の溝や段差の加工寸法を所望の導波間隔寸法ａ１〜ａ３が得られるように設計すれば良い。尚、周波数によっては各アイリス部１ａの背高寸法ｔを完全に一致させることは難しいが、その場合は一致できない箇所についてのみ調整を行うようにすれば良い（図２に示されるケース１における各アイリス部１ａの背高寸法ｔは、調整後に幾分バラツキが生じた様子を強調して示している）。
【００３６】
即ち、上述した実施の形態に係る導波管フィルタの作製に際しての技術的要点は、各周波数で全てのアイリス部１ａの背高寸法ｔが一致するような導波間隔寸法ａを導出するようにケース１の設計を行うことである。因みに、各アイリス部１ａの背高寸法ｔの基準値として一致させる値は、低周波数時として説明したが、各アイリス部１ａの背高寸法ｔを各周波数で一致させることができる場合には設計条件に合わせて任意に設計しても良い。
【００３７】
そこで、上述したケース１と装着面Ｍ１〜Ｍ３を持つカバー２とを用い、装着面Ｍ１〜Ｍ３での調整周波数を図３（ａ），（ｂ），（ｃ）にそれぞれ示したように２１．４ＧＨｚ，２２．４ＧＨｚ，２３．４ＧＨｚの３点とすると共に、帯域幅４００ＭＨｚとして導波管フィルタを設計して作製したものに対し、実際に帯域幅と周波数に対する通過及び反射特性とを測定した。
【００３８】
この結果、装着面Ｍ１を使用した導波間隔寸法ａ１の最低周波数２１．４ＧＨｚの場合には、帯域幅が４００ＭＨｚであり、このときの導波間隔寸法ａ２を対比した場合の帯域幅が３３２ＭＨｚ、導波間隔寸法ａ３を対比した場合の帯域幅が２７２ＭＨｚとなることが判った。又、装着面Ｍ２を使用した導波間隔寸法ａ２の中間周波数２２．４ＧＨｚの場合には、帯域幅が４１６ＭＨｚであり、このときの導波間隔寸法ａ１を対比した場合の帯域幅が５２４ＭＨｚ、導波間隔寸法ａ３を対比した場合の帯域幅が３４２ＭＨｚとなることが判った。更に、装着面Ｍ３を使用した導波間隔寸法ａ３の最高周波数２３．４ＧＨｚの場合には、帯域幅が４２８ＭＨｚであり、このときの導波間隔寸法ａ１を対比した場合の帯域幅が６７０ＭＨｚ、導波間隔寸法ａ２を対比した場合の帯域幅が５２８ＭＨｚとなることが判った。
【００３９】
図４は、図３（ａ）に示した導波間隔寸法ａ１の最低周波数モードの場合の周波数（ＧＨｚ）に対する通過特性及び反射特性の測定レベル（ｄＢ）を示したものである。同様に、図５は、図３（ｂ）に示した導波間隔寸法ａ２の中間周波数モードの場合の周波数（ＧＨｚ）に対する通過特性及び反射特性の測定レベル  （ｄＢ）を示したものである。同様に、図６は、図３（ｃ）に示した導波間隔寸法ａ３の最高周波数モードの場合の周波数（ＧＨｚ）に対する通過特性及び反射特性の測定レベル（ｄＢ）を示したものである。
【００４０】
図４〜図６には、何れも基準零レベルと対比させて調整周波数付近でピークを持つ通過特性を示す通過曲線Ｃ１と調整周波数付近で減衰する反射特性を示す反射曲線Ｃ２とを合わせて示しているが、測定結果からは相対的に多少の相違があるものの、周波数の変更にも拘らず調整に無理が無いために特性劣化が殆ど無く、十分に設計を満足する結果となっていることが判る。
【００４１】
一般に、導波管フィルタを作製する場合、部材を共通化使用しようとするとそれを補うための調整が必要になり、反対に無調整化の構造にしようとすると部材がそれぞれに特定化したものとなって共通化使用の方向とはかけ離れてしまうが、本実施の形態の導波管フィルタによれば、部材の共通化使用と段間結合の調整を一切行わなくて済む半無調整化の構造とを同時に具現することができる。
【００４２】
ところで、上述した導波管フィルタの場合、ケース１を共通化使用しながらカバー２の装着面Ｍ１〜Ｍ３を変更することによって導波間隔寸法ａを変更可能な構造（周波数を変更可能な構造）を説明したが、その他にもケース１における開口に対して任意な一つのパタメータの変更に対応可能な同一部品としてカバー２を装着する構造を得ることが可能である。
【００４３】
例えば、先の一つの実施の形態では、異なる周波数においても帯域幅が一定となるような構造例を挙げたが、反対に異なる帯域幅で同じ周波数となるように設計を行うことも可能である。このような構造の導波管フィルタを設計する場合、各帯域幅において各アイリス部１ａの間隔（素子間電気長）Ｌを一致させるように導波間隔寸法ａを導出し、各アイリス部１ａの背高寸法ｔは厳密な調整が可能となることを前提として設計すれば良い。この場合、狭い帯域幅から広い帯域幅へ向かう方が柔軟な調整ができるので、各アイリス部１ａの背高寸法ｔは最も長いときの値を設計値とすれば良い。これらの導出した値を用いてケース１，カバー２の形状や寸法を先の一つの実施の形態の場合と同様に設計すれば、帯域幅のみの調整を行うだけで周波数調整を無調整化できる構造となる。勿論、以上に説明した周波数や帯域幅が一定となるような構造例とする以外、その他のパラメータにおいても適用可能である。
【００４４】
図７は、本発明の他の実施の形態に係る導波管フィルタの基本構造をケース１及びカバー２′を組み付けた状態で示した短手（端面）方向における断面図である。ここでのケース１は、先の一つの実施の形態の場合と同様な構造（断面略コ字状で一軸方向に延びると共に、平坦な底面に一軸方向に沿って所定の間隔で複数のアイリス部１ａが設けられている）であるが、ここでのカバー２′は、ケース１の開口に対して各アイリス部１ａとの距離を可変できるようにケース１にあっての底面と垂直方向（矢印で示される）で平行スライド可能に装着される構造となっている。このような構造の導波管フィルタの場合、より連続的に様々な周波数でフレキシブルな調整が可能となる。
【００４５】
図８は、本発明の別の実施の形態に係る導波管フィルタの基本構造をケース１′及びカバー２″を組み付けた状態で示した長手（側面）方向における断面図である。この導波管フィルタの場合、ケース１′を断面略コ字状で一軸方向に延びると共に、一軸方向に沿って順次厚さの異なる段差を持つ底面に複数のアイリス部１ａ′が段差間に所定の間隔を有して段差を区画形成するように設けられる構造とし、カバー２″を各アイリス部１ａ′に対向する側の主面がケース１′にあっての底面の段差の平均勾配値とほぼ合致する角度で一軸方向に沿って傾斜していると共に、ケース１′の開口に対して各アイリス部１ａ′との距離を可変できるように一軸方向（矢印で示される）でスライド可能に装着される構造としている。このような構造の導波管フィルタにおいても、先の他の実施の形態に係る導波管フィルタの場合と同様に、連続的に様々な周波数でフレキシブルな調整が可能となる。
【００４６】
尚、本発明に各実施の形態に係る導波管フィルタは、任意な一つのパラメータを無調整化する構造とすることを基本とするが、場合によっては無理に無調整化する必要がないことがある。例えば、設計内容によっては各実施の形態に係る構造のように各アイリス部１ａ，１ａ′の背高寸法ｔを一致させることが困難な場合もあり、そのような場合には調整を行うことを前提として基準値を決めて設計すれば良いし、又調整を行うことを前提としておけば、より広範囲での部材を共通化使用するが達成できて柔軟な設計も可能となる。
【００４７】
【発明の効果】
以上に述べた通り、本発明の導波管フィルタによれば、ケースについてはカバーを装着するための開口を有すると共に、少なくとも周波数又は帯域幅を含む任意な一つのパタメータの変更に際して共通化して使用される構造とし、カバーについては、ケースにおける開口に対して少なくとも周波数又は帯域幅を含む任意な一つのパタメータの変更に対応可能な同一部品として装着される構造としているため、周波数や帯域幅の変更に際してアイリス加工が施されたケースとカバーとを共通化して使用できると共に、任意な一つのパラメータを半無調整化し得る便利な構造となる。結果として、部品の共通化使用と無調整化構造とが同時に実現され、無理な調整による特性劣化の防止が図られ、段間調整の無調整化及びそれに伴う段間調整部材が削減されるようになる他、部品の共通化使用が可能になることにより多種の部品を要するために従来では困難であった鋳物化を実現できてそれによる低コスト化が図られ、しかも部品の種類が削減されて管理が容易化されるようになると共に、生産性が向上されて作製時におけるケース間違い等の管理上のトラブルも防止される等、様々な長所を奏する。
【図面の簡単な説明】
【図１】本発明に先立つ導波管フィルタの要部構造を示した長手（側面）方向における側面断面図である。
【図２】本発明の一つの実施の形態に係る導波管フィルタの基本構造をケース及びカバーを分解した状態で示した外観斜視図である。
【図３】図２に示す導波管フィルタに備えられるカバーのケースに対する組み付け変更パターンに応じた周波数設定モードを示した端面方向での断面図であり、（ａ）は最低周波数モードに関するもの，（ｂ）は中間周波数モードに関するもの，  （ｃ）は最高周波数モードに関するものである。
【図４】図３（ａ）に示す最低周波数モードの場合の周波数に対する通過特性及び反射特性の測定レベルを示したものである。
【図５】図３（ｂ）に示す中間周波数モードの場合の周波数に対する通過特性及び反射特性の測定レベルを示したものである。
【図６】図３（ｃ）に示す最高周波数モードの場合の周波数に対する通過特性及び反射特性の測定レベルを示したものである。
【図７】本発明の他の実施の形態に係る導波管フィルタの基本構造をケース及びカバーを組み付けた状態で示した短手（端面）方向における断面図である。
【図８】本発明の別の実施の形態に係る導波管フィルタの基本構造をケース及びカバーを組み付けた状態で示した長手（側面）方向における断面図である。
【符号の説明】
１，１′  ケース
１ａ，１ａ′  アイリス部
２，２′，２″  カバー
【図１】
2004289517.tif 000003
【図２】
2004289517.tif 000004
【図３】
2004289517.tif 000005
【図４】
2004289517.tif 000006
【図５】
2004289517.tif 000007
【図６】
2004289517.tif 000008
【図７】
2004289517.tif 000009
【図８】
2004289517.tif 000010